(57)【要約】【課題】従来よりも自由に複数の原稿を原稿載置台に配置して一括して読み取らせることが可能な画像読取装置を提供する。【解決手段】原稿載置台と、前記原稿載置台に載置された複数の原稿を一括で読み取って複数の画像データを生成する画像読取部と、前記複数の画像データを処理する画像データ処理部とを備え、前記画像読取部が、前記原稿載置台の予め定められた複数の領域内にそれぞれ載置された複数の原稿の一面を一括で読み取って複数の第１画像データを生成した後、前記複数の原稿の裏表の面を反転して前記複数の領域内にそれぞれ再載置された前記複数の原稿の反対面を一括で読み取って複数の第２画像データを生成した場合、前記画像データ処理部は、前記第１および第２画像データを前記領域ごとに裏表の画像データとして関連付けることを特徴とする画像読取装置。【選択図】図８
2019004298.tif 000002
【特許請求の範囲】
【請求項１】
原稿載置台と、前記原稿載置台に載置された複数の原稿を一括で読み取って複数の画像データを生成する画像読取部と、前記複数の画像データを処理する画像データ処理部とを備え、
前記画像読取部が、前記原稿載置台の予め定められた複数の領域内にそれぞれ載置された複数の原稿の一面を一括で読み取って複数の第１画像データを生成した後、前記複数の原稿の裏表の面を反転して前記複数の領域内にそれぞれ再載置された前記複数の原稿の反対面を一括で読み取って複数の第２画像データを生成した場合、
前記画像データ処理部は、前記第１および第２画像データを前記領域ごとに裏表の画像データとして関連付けることを特徴とする画像読取装置。
【請求項２】
前記複数の領域の位置を指示する指標が記載された領域指示部をさらに備えた請求項１に記載の画像読取装置。
【請求項３】
前記複数の画像データの出力用のレイアウトを設定する出力レイアウト設定部をさらに備え、
前記画像データ処理部は、出力レイアウト設定部によって設定されたレイアウトに従って前記画像データを関連付ける請求項１または２に記載の画像読取装置。
【請求項４】
表示部をさらに備え、
前記表示部は、一括で読み取るべき原稿の枚数に応じて予め定められた前記原稿載置台の複数の領域の位置を指示する指標を表示して、前記複数の領域内にそれぞれ複数の原稿を載置するように表示する請求項１〜３のいずれか１つに記載の画像読取装置。
【請求項５】
前記指標は、一括で読み取るべき原稿の枚数に応じて、前記原稿載置台を前記複数の領域に区分する境界線である請求項４に記載の画像読取装置。
【請求項６】
前記指標は、一括で読み取るべき原稿の枚数に応じて、前記複数の領域の境界の位置を指示する矢印、指示線またはその他の指示記号である請求項４または５に記載の画像読取装置。
【請求項７】
前記画像読取部が前記第１画像データを生成した後、前記表示部は、前記第１画像データの読み取り結果を表示する請求項４〜６のいずれか１つに記載の画像読取装置。
【請求項８】
前記画像読取部が前記第１画像データを生成した後、前記表示部は、前記複数の原稿の裏表の面を反転して前記複数の領域内にそれぞれ再載置すべき旨の指示を表示する請求項４〜７のいずれか１つに記載の画像読取装置。
【請求項９】
前記指示は、アニメーションおよびメッセージの少なくとも１つを含む請求項８に記載の画像読取装置。
【請求項１０】
ユーザーからの指令を受け付ける操作部をさらに備え、
前記画像読取部が前記第１および第２画像データを生成した場合、
前記表示部は、前記原稿の枚数に応じて、前記複数の原稿が予め定められた配列に従って縦横に配列された複数のレイアウトを表示させ、前記複数のレイアウトのうち、一の前記レイアウトの選択を前記操作部が受け付けたとき、前記出力レイアウト設定部は、選択された前記一のレイアウトに従って前記画像データを関連付ける請求項４〜９のいずれか１つに記載の画像読取装置。
【請求項１１】
画像読取判定部をさらに備え、
前記画像読取判定部が、前記複数の領域内に前記複数の原稿が正しく配置されていないと判定したとき、
前記表示部は、エラー情報を表示する請求項４〜１０のいずれか１つに記載の画像読取装置。
【請求項１２】
請求項４〜１１のいずれか１つに記載の画像読取装置と、前記画像読取装置で生成された画像データを処理して前記表示部に表示させる画像処理部とを備えた画像処理装置。
【請求項１３】
原稿載置台に載置された複数の原稿を一括で読み取って複数の画像データを生成する画像読取ステップと、前記複数の画像データを処理する画像データ処理ステップとを含み、
前記画像読取ステップにおいて、前記原稿載置台の予め定められた複数の領域内にそれぞれ載置された複数の原稿の一面を一括で読み取って複数の第１画像データを生成した後、前記複数の原稿の裏表の面を反転して前記複数の領域内にそれぞれ再載置された前記複数の原稿の反対面を一括で読み取って複数の第２画像データを生成した場合、
前記画像データ処理ステップにおいて、前記第１および第２画像データを前記領域ごとに裏表の画像データとして関連付けることを特徴とする画像読取方法。
【請求項１４】
画像読取装置のプロセッサに、原稿載置台に載置された複数の原稿を一括で読み取って複数の画像データを生成する画像読取ステップと、前記複数の画像データを処理する画像データ処理ステップとを実行させる画像読取プログラムであって、
前記画像読取ステップにおいて、前記原稿載置台の予め定められた複数の領域内にそれぞれ載置された複数の原稿の一面を一括で読み取って複数の第１画像データを生成した後、前記複数の原稿の裏表の面を反転して前記複数の領域内にそれぞれ再載置された前記複数の原稿の反対面を一括で読み取って複数の第２画像データを生成した場合、
前記画像データ処理ステップにおいて、前記第１および第２画像データを前記領域ごとに裏表の画像データとして関連付けることを特徴とする画像読取プログラム。
【請求項１５】
画像読取装置のプロセッサに、原稿載置台に載置された複数の原稿を一括で読み取って複数の画像データを生成する画像読取ステップと、前記複数の画像データを処理する画像データ処理ステップとを実行させる画像読取プログラムを記録したコンピュータ読み取り可能な記録媒体であって、
前記画像読取ステップにおいて、前記原稿載置台の予め定められた複数の領域内にそれぞれ載置された複数の原稿の一面を一括で読み取って複数の第１画像データを生成した後、前記複数の原稿の裏表の面を反転して前記複数の領域内にそれぞれ再載置された前記複数の原稿の反対面を一括で読み取って複数の第２画像データを生成した場合、
前記画像データ処理ステップにおいて、前記第１および第２画像データを前記領域ごとに裏表の画像データとして関連付けることを特徴とするコンピュータ読み取り可能な記録媒体。
【発明の詳細な説明】
【技術分野】
【０００１】
この発明は、画像読取装置、前記画像読取装置を備えた画像処理装置、画像読取方法、画像読取プログラムおよび記録媒体に関する。
【背景技術】
【０００２】
従来、名刺や免許証やクレジットカード等のカードの裏表の画像を一括で読み取るカード読取機能を有する画像読取装置が知られている。
【０００３】
このようなカード読取機能を有する画像読取装置として、両面自動読取装置などの特殊な装置を用いることでカードの両面を同時に読み取る装置がある。しかしながら、このような装置にプラスチック製のカードなどの厚紙を読み取らせる場合、厚紙を通紙させるための専用パスが必要となるため、機構が複雑になり、装置のコストの増加につながっていた。
【０００４】
また、一度に読み取った原稿の裏表の画像を関連付けすることにより、裏表に画像が記載されている原稿の裏表の画像を、一体に記憶したり表示したりする等の処理をすることが可能な、画像読取装置の発明も開示されている（例えば、特許文献１を参照）。
【先行技術文献】
【特許文献】
【０００５】
【特許文献１】特開２００９−１００２１１号公報
【発明の概要】
【発明が解決しようとする課題】
【０００６】
しかしながら、このようなカード読取機能は、一般に読み取らせるカードのサイズや読み取り位置が定められており、カードの読み取りの際、ユーザーは規定のサイズのカードを原稿載置台の指定された位置に正しく載置するように求められる。
それゆえ、ユーザーが原稿載置台に規定外のサイズのカードを載置した場合や、予め定められた読み取り位置からカードが外れた場合、カードの画像をうまく読み取れないという問題があった。
【０００７】
この発明は、このような課題に鑑みてなされたものであり、従来よりも自由に複数の原稿を原稿載置台に配置して一括して読み取らせることが可能な画像読取装置、前記画像読取装置を備えた画像処理装置、画像読取方法、画像読取プログラムおよび記録媒体を提供するものである。
【課題を解決するための手段】
【０００８】
この発明は、原稿載置台と、前記原稿載置台に載置された複数の原稿を一括で読み取って複数の画像データを生成する画像読取部と、前記複数の画像データを処理する画像データ処理部とを備え、前記画像読取部が、前記原稿載置台の予め定められた複数の領域内にそれぞれ載置された複数の原稿の一面を一括で読み取って複数の第１画像データを生成した後、前記複数の原稿の裏表の面を反転して前記複数の領域内にそれぞれ再載置された前記複数の原稿の反対面を一括で読み取って複数の第２画像データを生成した場合、前記画像データ処理部は、前記第１および第２画像データを前記領域ごとに裏表の画像データとして関連付けることを特徴とする画像読取装置を提供するものである。
また、この発明は、前記画像読取装置と、表示部と、前記画像読取装置で生成された画像データを処理して前記表示部に表示させる画像処理部とを備えた画像処理装置を提供するものである。
また、この発明は、原稿載置台に載置された複数の原稿を一括で読み取って複数の画像データを生成する画像読取ステップと、前記複数の画像データを処理する画像データ処理ステップとを含み、前記画像読取ステップにおいて、前記原稿載置台の予め定められた複数の領域内にそれぞれ載置された複数の原稿の一面を一括で読み取って複数の第１画像データを生成した後、前記複数の原稿の裏表の面を反転して前記複数の領域内にそれぞれ再載置された前記複数の原稿の反対面を一括で読み取って複数の第２画像データを生成した場合、前記画像データ処理ステップにおいて、前記第１および第２画像データを前記領域ごとに裏表の画像データとして関連付けることを特徴とする画像読取方法を提供するものである。
また、この発明は、画像読取装置のプロセッサに、原稿載置台に載置された複数の原稿を一括で読み取って複数の画像データを生成する画像読取ステップと、前記複数の画像データを処理する画像データ処理ステップとを実行させる画像読取プログラムであって、前記画像読取ステップにおいて、前記原稿載置台の予め定められた複数の領域内にそれぞれ載置された複数の原稿の一面を一括で読み取って複数の第１画像データを生成した後、前記複数の原稿の裏表の面を反転して前記複数の領域内にそれぞれ再載置された前記複数の原稿の反対面を一括で読み取って複数の第２画像データを生成した場合、前記画像データ処理ステップにおいて、前記第１および第２画像データを前記領域ごとに裏表の画像データとして関連付けることを特徴とする画像読取プログラムを提供するものである。
また、この発明は、画像読取装置のプロセッサに、原稿載置台に載置された複数の原稿を一括で読み取って複数の画像データを生成する画像読取ステップと、前記複数の画像データを処理する画像データ処理ステップとを実行させる画像読取プログラムを記録したコンピュータ読み取り可能な記録媒体であって、前記画像読取ステップにおいて、前記原稿載置台の予め定められた複数の領域内にそれぞれ載置された複数の原稿の一面を一括で読み取って複数の第１画像データを生成した後、前記複数の原稿の裏表の面を反転して前記複数の領域内にそれぞれ再載置された前記複数の原稿の反対面を一括で読み取って複数の第２画像データを生成した場合、前記画像データ処理ステップにおいて、前記第１および第２画像データを前記領域ごとに裏表の画像データとして関連付けることを特徴とするコンピュータ読み取り可能な記録媒体を提供するものである。
【発明の効果】
【０００９】
この発明によれば、従来よりも自由に複数の原稿を原稿載置台に配置して一括して読み取らせることが可能な画像読取装置、前記画像読取装置を備えた画像処理装置、画像読取方法、画像読取プログラムおよび記録媒体を実現できる。
【図面の簡単な説明】
【００１０】
【図１】この発明のデジタル複合機の外観を示す斜視図である。
【図２】図１のデジタル複合機の平面図である。
【図３】図１のデジタル複合機のパネルユニットを示す説明図である。
【図４】図１のデジタル複合機の原稿カバーを開いたときの原稿載置台を示す説明図である。
【図５】図４の原稿載置台を示す説明図である。
【図６】図１のデジタル複合機の概略構成を示すブロック図である。
【図７】図１のデジタル複合機のカード読み取りの操作手順の概略を示すフローチャートである。
【図８】図１のデジタル複合機のカード読み取り処理の概略を示すフローチャートである。
【図９】図１のデジタル複合機のカード読み取り処理の一例を示す説明図である。
【図１０】図１のデジタル複合機のカード読み取りの操作手順の一例を示す説明図である。
【図１１】図１のデジタル複合機のカード読み取りの操作手順の一例を示す説明図である。
【図１２】図１１のカードの読み込み用の設定画面の拡大説明図である。
【図１３】図１のデジタル複合機のカード読み取りの操作手順の一例を示す説明図である。
【図１４】図１３の送信レイアウト選択用の設定画面の拡大説明図である。
【図１５】図４の原稿載置台へのカードの配置の一例を示す説明図である。
【図１６】図１５で読み取られたカードの表面のプレビュー画面の一例を示す説明図である。
【図１７】図４の原稿載置台へのカードの配置の別の一例を示す説明図である。
【図１８】図４の原稿載置台への不適切なカードの配置の一例を示す説明図である。
【図１９】図４の原稿載置台へのカードの配置の一例を示す説明図である。
【図２０】図１９で読み取られたカードの裏面のプレビュー画面の一例を示す説明図である。
【図２１】追加の読み込みを行うか否かの確認メッセージの一例を示す説明図である。
【図２２】選択された送信レイアウトに従って表示されたカードの裏表面のプレビュー画面の一例を示す説明図である。
【図２３】図４の原稿載置台へのカードの配置の一例を示す説明図である。図２３（Ａ）は、カードの表面を読み取るための配置の一例を示し、図２３（Ｂ）は、カードの裏面を読み取るための配置の一例を示す。
【図２４】この発明の実施形態２に係る送信用のレイアウトの例を示す説明図である。図２４（Ａ）は、縦向きの用紙に送信するためのレイアウトの一例を示し、図２４（Ｂ）は、横向きの用紙に送信するためのレイアウトの一例を示す。
【図２５】この発明の実施形態２に係る送信用のレイアウトの例を示す説明図である。図２５（Ａ）（Ｂ）は、縦向きの用紙に送信するためのレイアウトの一例を示し、図２５（Ｃ）（Ｄ）は、横向きの用紙に送信するためのレイアウトの一例を示す。
【図２６】この発明の実施形態２に係る送信用のレイアウトの例を示す説明図である。図２６（Ａ）（Ｂ）は、縦向きの用紙に送信するためのレイアウトの一例を示し、図２６（Ｃ）（Ｄ）は、横向きの用紙に送信するためのレイアウトの一例を示す。
【図２７】この発明の実施形態２に係る送信用のレイアウトの例を示す説明図である。図２７（Ａ）（Ｂ）は、縦向きの用紙に送信するためのレイアウトの一例を示す。
【図２８】この発明の不適切なカードの配置の一例を示す説明図である。図２８（Ａ）は、カードの表面を読み取るための配置の一例を示し、図２８（Ｂ）は、カードの裏面を読み取るための配置の一例を示す。
【図２９】この発明の不適切なカードの配置の一例を示す説明図である。図２９（Ａ）は、カードの表面を読み取るための配置の一例を示し、図２９（Ｂ）は、カードの裏面を読み取るための配置の一例を示す。
【図３０】この発明の不適切なカードの配置の一例を示す説明図である。図３０（Ａ）は、カードの表面を読み取るための配置の一例を示し、図３０（Ｂ）は、カードの裏面を読み取るための配置の一例を示す。
【図３１】この発明の不適切なカードの配置の一例を示す説明図である。図３１（Ａ）は、カードの表面を読み取るための配置の一例を示し、図３１（Ｂ）は、カードの裏面を読み取るための配置の一例を示す。
【図３２】実施形態４に係る画像読取装置の原稿載置台へのカードの配置の一例を示す説明図である。図３２（Ａ）は、カードの表面を読み取るための配置の一例を示し、図３２（Ｂ）は、カードの裏面を読み取るための配置の一例を示す。
【発明を実施するための形態】
【００１１】
（ｉ）この発明による画像読取装置は、原稿載置台と、前記原稿載置台に載置された複数の原稿を一括で読み取って複数の画像データを生成する画像読取部と、前記複数の画像データを処理する画像データ処理部とを備え、前記画像読取部が、前記原稿載置台の予め定められた複数の領域内にそれぞれ載置された複数の原稿の一面を一括で読み取って複数の第１画像データを生成した後、前記複数の原稿の裏表の面を反転して前記複数の領域内にそれぞれ再載置された前記複数の原稿の反対面を一括で読み取って複数の第２画像データを生成した場合、前記画像データ処理部は、前記第１および第２画像データを前記領域ごとに裏表の画像データとして関連付けることを特徴とする。
また、この発明による画像処理装置は、前記画像読取装置と、表示部と、前記画像読取装置で生成された画像データを処理して前記表示部に表示させる画像処理部とを備えたことを特徴とする。
また、この発明による画像読取方法は、原稿載置台に載置された複数の原稿を一括で読み取って複数の画像データを生成する画像読取ステップと、前記複数の画像データを処理する画像データ処理ステップとを含み、前記画像読取ステップにおいて、前記原稿載置台の予め定められた複数の領域内にそれぞれ載置された複数の原稿の一面を一括で読み取って複数の第１画像データを生成した後、前記複数の原稿の裏表の面を反転して前記複数の領域内にそれぞれ再載置された前記複数の原稿の反対面を一括で読み取って複数の第２画像データを生成した場合、前記画像データ処理ステップにおいて、前記第１および第２画像データを前記領域ごとに裏表の画像データとして関連付けることを特徴とする。
また、この発明による画像読取プログラムは、画像読取装置のプロセッサに、原稿載置台に載置された複数の原稿を一括で読み取って複数の画像データを生成する画像読取ステップと、前記複数の画像データを処理する画像データ処理ステップとを実行させる画像読取プログラムであって、前記画像読取ステップにおいて、前記原稿載置台の予め定められた複数の領域内にそれぞれ載置された複数の原稿の一面を一括で読み取って複数の第１画像データを生成した後、前記複数の原稿の裏表の面を反転して前記複数の領域内にそれぞれ再載置された前記複数の原稿の反対面を一括で読み取って複数の第２画像データを生成した場合、前記画像データ処理ステップにおいて、前記第１および第２画像データを前記領域ごとに裏表の画像データとして関連付けることを特徴とする。
また、この発明によるコンピュータ読み取り可能な記録媒体は、画像読取装置のプロセッサに、原稿載置台に載置された複数の原稿を一括で読み取って複数の画像データを生成する画像読取ステップと、前記複数の画像データを処理する画像データ処理ステップとを実行させる画像読取プログラムを記録したコンピュータ読み取り可能な記録媒体であって、前記画像読取ステップにおいて、前記原稿載置台の予め定められた複数の領域内にそれぞれ載置された複数の原稿の一面を一括で読み取って複数の第１画像データを生成した後、前記複数の原稿の裏表の面を反転して前記複数の領域内にそれぞれ再載置された前記複数の原稿の反対面を一括で読み取って複数の第２画像データを生成した場合、前記画像データ処理ステップにおいて、前記第１および第２画像データを前記領域ごとに裏表の画像データとして関連付けることを特徴とする。
【００１２】
この発明において、「予め定められた複数の領域内にそれぞれ載置された複数の原稿」は、予め定められた複数の領域の全ての領域に原稿が載置されている必要はなく、予め定められた複数の領域の一部の領域に原稿が載置されていてもよい。例えば、縦横に分割された原稿載置台の４つの領域のうち、１〜３つの領域に原稿を載置した場合も含まれるものとする。
【００１３】
さらに、この発明の好ましい態様について説明する。
【００１４】
（ii）この発明の画像読取装置において、前記複数の領域の位置を指示する指標が記載された領域指示部をさらに備えたものであってもよい。
【００１５】
このようにすれば、複数の領域の位置を指示する領域指示部を参考に複数の原稿を配置することができるため、従来よりも自由に複数の原稿を原稿載置台に配置して一括して読み取らせることが可能な画像読取装置を実現できる。
【００１６】
「複数の領域の位置を示す指標が記載された領域指示部」は、例えば、領域間の境界の位置を示す三角矢印や指示線、境界線等の指標が表示された原稿載置台の周縁部（原稿ガイド）である。また、原稿載置台に対応する位置に複数の領域を示す矢印や指示線が描かれた原稿カバーであってもよい。また、複数の領域の境界の位置を示す指向性のレーザー等であってもよい。
【００１７】
（iii）この発明の画像読取装置において、前記複数の画像データの出力用のレイアウトを設定する出力レイアウト設定部をさらに備え、前記画像データ処理部は、出力レイアウト設定部によって設定されたレイアウトに従って前記画像データを関連付けるものであってもよい。
【００１８】
このようにすれば、出力レイアウト設定部によって設定されたレイアウトに従って画像データが関連付けられるため、従来よりも自由に複数の原稿を原稿載置台に配置して一括して読み取らせることが可能な画像読取装置を実現できる。
（iv）この発明の画像読取装置において、表示部をさらに備え、前記表示部は、一括で読み取るべき原稿の枚数に応じて予め定められた前記原稿載置台の複数の領域の位置を示して、前記複数の領域内にそれぞれ複数の原稿を載置するように表示するものであってもよい。
【００１９】
このようにすれば、一括で読み取るべき原稿の枚数に応じて予め定められた複数の領域が表示部に表示されるため、従来よりも自由に複数の原稿を原稿載置台に配置して一括して読み取らせることが可能な画像読取装置を実現できる。
【００２０】
（v）この発明の画像読取装置において、前記指標は、一括で読み取るべき原稿の枚数に応じて、前記原稿載置台を前記複数の領域に区分する境界線であってもよい。
【００２１】
このようにすれば、一括で読み取るべき原稿の枚数に応じて、原稿載置台を複数の領域に区分する境界線が表示部に表示されるため、ユーザーは当該境界線を参考に、複数の原稿の裏表の面を同じ領域に載置することが容易にできる。
【００２２】
また、境界線の他に、矢印など他の図形によって複数の領域を示すようにしてもよい。
【００２３】
（vi）この発明の画像読取装置において、前記指標は、一括で読み取るべき原稿の枚数に応じて、前記複数の領域の境界の位置を指示する矢印、指示線またはその他の指示記号であってもよい。
【００２４】
このようにすれば、一括で読み取るべき原稿の枚数に応じて、複数の領域の境界の位置を指示する矢印、指示線またはその他の指示記号が表示部に表示されるため、ユーザーは当該指示記号を参考に、原稿載置台の同じ領域に複数の原稿の裏表の面を載置することが容易にできる。
【００２５】
（vii）この発明の画像読取装置において、前記画像読取部が前記第１画像データを生成した後、前記表示部は、前記第１画像データの読み取り結果を表示するものであってもよい。
【００２６】
このようにすれば、複数の原稿の一面を一括で読み取った結果が表示されるため、ユーザーは当該結果を参考に、原稿載置台の同じ領域に複数の原稿の裏面を反転して載置することが容易にできる。
【００２７】
（viii）この発明の画像読取装置において、前記画像読取部が前記第１画像データを生成した後、前記表示部は、前記複数の原稿の裏表の面を反転して前記複数の領域内にそれぞれ再載置すべき旨の指示を表示するものであってもよい。
【００２８】
このようにすれば、複数の原稿の一面を一括で読み取った後、複数の原稿の裏表の面を反転して複数の領域に再載置すべき旨の指示が表示部に表示されるため、ユーザーは当該指示を参考に、原稿載置台の同じ領域に複数の原稿の裏面を反転して載置することが容易にできる。
【００２９】
（ix）この発明の画像読取装置において、前記指示は、アニメーションおよびメッセージの少なくとも１つを含むものであってもよい。
【００３０】
このようにすれば、複数の原稿の一面を一括で読み取った後、複数の原稿の裏表の面を反転して複数の領域に再載置すべき旨のアニメーションやメッセージが表示部に表示されるため、ユーザーは当該アニメーションやメッセージを参考に、原稿載置台の同じ領域に複数の原稿の裏面を反転して載置することが容易にできる。
【００３１】
（x）この発明の画像読取装置において、ユーザーからの指令を受け付ける操作部をさらに備え、前記画像読取部が前記第１および第２画像データを生成した場合、前記表示部は、前記原稿の枚数に応じて、前記複数の原稿が予め定められた配列に従って縦横に配列された複数のレイアウトを表示させ、前記複数のレイアウトのうち、一の前記レイアウトの選択を前記操作部が受け付けたとき、前記出力レイアウト設定部は、選択された前記一のレイアウトに従って前記画像データを関連付けるものであってもよい。
【００３２】
このようにすれば、原稿の枚数に応じて表示部に表示された複数のレイアウトのうち、ユーザーが選択したレイアウトに従って画像データが関連付けられるため、多様なレイアウトを容易に選択して出力可能な画像読取装置を実現できる。
【００３３】
（xi）この発明の画像読取装置において、画像読取判定部およびエラー報知部をさらに備え、前記画像読取判定部が、前記複数の領域内に前記複数の原稿が正しく配置されていないと判定したとき、前記エラー報知部は、エラー情報を報知するものであってもよい。
【００３４】
このようにすれば、複数の領域内に複数の原稿が正しく配置されていない場合にエラー情報が報知されるため、従来よりも自由に複数の原稿を原稿載置台に配置して一括して読み取らせることが可能な画像読取装置を実現できる。
【００３５】
以下、図面を用いてこの発明をさらに詳述する。なお、以下の説明は、すべての点で例示であって、この発明を限定するものと解されるべきではない。
【００３６】
〔実施形態１〕
図１〜図５に基づき、この発明の画像読取装置を備えた画像処理装置の一例としてのデジタル複合機１の概要について説明する。
図１は、この発明のデジタル複合機１の外観を示す斜視図である。図２は、図１のデジタル複合機１の平面図である。図３は、図１のデジタル複合機１のパネルユニット１７を示す説明図である。図４は、図１のデジタル複合機１の原稿カバー１９を開いたときの原稿載置台１９１を示す説明図である。図５は、図４の原稿載置台１９１を示す説明図である。
【００３７】
デジタル複合機１は、複写機能やスキャナ機能、ファクシミリ機能を有し、原稿から読み取った画像データをデジタル処理して出力する装置である。
【００３８】
なお、この発明は、デジタル複合機１に限定されるものではなく、例えば、スキャナやパスポートリーダーなどの画像読取機能を有するすべての機器に適用可能である。
【００３９】
図１、図２および図４に示すように、デジタル複合機１は、原稿載置台１９１を覆う原稿カバー１９およびパネルユニット１７を備える。
図３に示すように、パネルユニット１７は、タッチパネル機能を有する表示操作部１７１および物理操作部１７２を備える。
【００４０】
図４および図５に示すように、ユーザーは、原稿カバー１９を上方に開き、原稿載置台１９１上に複数のカードＣ１・Ｃ２を置いて一括で読み取らせる。
【００４１】
デジタル複合機１は、表示操作部１７１を介して受付けたユーザーからの指示に基づき、カードの読み取り等のジョブを実行する。
【００４２】
次に、図６に基づき、デジタル複合機１の概略構成を説明する。
図６は、図１のデジタル複合機１の概略構成を示すブロック図である。
図６に示すように、デジタル複合機１は、制御部１０、画像読取部１１、画像形成部１２、記憶部１３、画像処理部１４、通信部１５、給紙部１６、パネルユニット１７および計時部１８を備える。
以下、デジタル複合機１の各構成要素を説明する。
【００４３】
制御部１０は、デジタル複合機１を統合的に制御するものであって、ＣＰＵ、ＲＡＭ、ＲＯＭ、各種のインターフェース回路等からなる。
制御部１０は、デジタル複合機１全体の動作をコントロールするために、各センサの検知、モーター、クラッチ、パネルユニット１７等、あらゆる負荷の監視・制御を行う。
【００４４】
画像読取部１１は、原稿載置台１９１に置かれたカード等の原稿または原稿トレイから搬送されてきた原稿を検知して読み取り、画像データを生成する部分である。
【００４５】
画像形成部１２は、画像処理部１４によって生成された画像データを用紙上に印刷出力する部分であり、ＬＳＵ１２１を備える。
ＬＳＵ１２１は、画像読取部１１によって取得されたデジタル信号からなる画像情報に対応するレーザー光を帯電状態にある感光体ドラムの表面に照射して、静電潜像を形成する装置である。
【００４６】
記憶部１３は、デジタル複合機１の各種機能を実現するために必要な情報や、制御プログラムなどを記憶する素子や記憶媒体である。例えば、ＲＡＭやＲＯＭ等の半導体素子、ハードディスク、フラッシュ記憶部、ＳＳＤ等の記憶媒体が用いられる。
なお、データを保持する領域がハードディスクドライブで、プログラムを保持する領域がフラッシュ記憶部で構成するといったように、プログラムとデータが異なる装置に保持されてもよい。
【００４７】
画像処理部１４は、画像読取部１１によって読み取られた原稿の画像を適正な電気信号に変換して画像データを生成する部分である。また、画像読取部１１から入力された画像データを表示操作部１７１からの指令に従い、拡大・縮小等の出力に適するように処理を行う部分である。また、予め定められたレイアウトに従って複数の画像データを関連付ける部分である。
【００４８】
通信部１５は、ネットワーク等を介して、コンピュータや携帯情報端末、外部の情報処理装置やファクシミリ装置等との通信をおこない、メールやＦＡＸなどの種々の情報をこれら外部の通信装置と送受信する部分である。
【００４９】
給紙部１６は、給紙カセット、手差トレイに格納された用紙を画像形成部１２まで搬送する部分である。
【００５０】
パネルユニット１７は、液晶ディスプレイ（Liquid Crystal Display）を備えたユニットであり、表示操作部１７１および物理操作部１７２を備える。
【００５１】
表示操作部１７１は、各種情報の表示を行い、タッチパネル機能によりユーザーからの指令を受け付ける部分である。表示操作部１７１は、例えば、ＣＲＴディスプレイ、液晶ディスプレイ、ＥＬディスプレイなどで構成され、オペレーティングシステムやアプリケーションソフトウェアが処理状態など電子的なデータを表示するためのモニタやラインディスプレイなどの表示装置である。制御部１０は、表示操作部１７１を通じて、デジタル複合機１の動作および状態の表示を行う。
【００５２】
＜カード読み取り処理の概略＞
次に、図７および図８に基づき、この発明の実施形態１に係るデジタル複合機１のカード読み取り処理の概略について説明する。
図７および図８は、図１のデジタル複合機１のカード読み取り処理の概略を示すフローチャートである。
【００５３】
以下、原稿載置台１９１上に載置された複数のカードの裏表の画像を読み取り、複数の画像データを生成するモードをマルチカードスキャンモードとして説明する。
【００５４】
図７のステップＳ１において、制御部１０は、ユーザーからマルチカードスキャンモードが選択されたとき（ステップＳ１）、続くステップＳ２において、マルチカードスキャン用の設定画面を表示操作部１７１に表示させて設定を受け付ける（ステップＳ２）。
具体的には、制御部１０は、カードの読み取り・送信（出力）用の設定画面を表示操作部１７１に表示して、ユーザーに設定させる。
【００５５】
続いて、ステップＳ３において、制御部１０は、カードの読み取り・送信用の設定が完了したか否かを判定する（ステップＳ３）。
カードの読み取り・送信用の設定が完了した場合（ステップＳ３の判定がＹｅｓの場合）、制御部１０は、ステップＳ４の処理を行う（ステップＳ４）。
一方、カードの読み取り・送信用の設定が完了していない場合（ステップＳ３の判定がＮｏの場合）、制御部１０は、ステップＳ３の判定を繰り返す（ステップＳ３）。
【００５６】
次に、ステップＳ４において、制御部１０は、原稿載置台１９１の予め定められた複数の領域内に複数の原稿をそれぞれ配置した後、プレビューキーまたはＯＫキー等の所定のキーをタッチするように表示操作部１７１に表示させる（ステップＳ４）。
【００５７】
次に、ステップＳ５において、制御部１０は、プレビューキーがタッチされた否かを判定する（ステップＳ５）。
プレビューキーがタッチされた場合（ステップＳ５の判定がＹｅｓの場合）、制御部１０は、ステップＳ６において、原稿載置台１９１に読み取られた画像データのプレビュー画面を表示操作部１７１に表示させる（ステップＳ６）。
その後、制御部１０は、ステップＳ７の判定を行う（ステップＳ７）。
【００５８】
一方、ステップＳ５において、プレビューキーがタッチされていない場合（ステップＳ５の判定がＮｏの場合）、制御部１０は、ステップＳ７の判定を行う（ステップＳ７）。
【００５９】
次に、ステップＳ７において、制御部１０は、ＯＫキーがタッチされたか否かを判定する（ステップＳ７）。
ＯＫキーがタッチされた場合（ステップＳ７の判定がＹｅｓの場合）、制御部１０は、ステップＳ８において、複数の領域にそれぞれ配置された複数の原稿の一面に対応する複数の画像データ（第１画像データ）を生成する（ステップＳ８）。
その後、制御部１０は、図８のステップＳ９の処理を行う（ステップＳ９）。
【００６０】
一方、ＯＫキーがタッチされていない場合（ステップＳ７の判定がＮｏの場合）、制御部１０は、ステップＳ５の判定を繰り返す（ステップＳ５）。
【００６１】
次に、図８のステップＳ９において、制御部１０は、前記複数の原稿を裏返して前記原稿載置台１９１の複数の領域内にそれぞれ配置した後、プレビューキーまたはＯＫキー等の所定のキーをタッチするように表示操作部１７１に表示させる（ステップＳ９）。
【００６２】
続いて、ステップＳ１０において、制御部１０は、プレビューキーがタッチされた否かを判定する（ステップＳ１０）。
プレビューキーがタッチされた場合（ステップＳ１０の判定がＹｅｓの場合）、制御部１０は、ステップＳ１１において、原稿載置台１９１に読み取られた画像データのプレビュー画面を表示操作部１７１に表示させる（ステップＳ１１）。
その後、制御部１０は、ステップＳ１２の判定を行う（ステップＳ１２）。
【００６３】
一方、ステップＳ１０において、プレビューキーがタッチされていない場合（ステップＳ１０の判定がＮｏの場合）、制御部１０は、ステップＳ１２の判定を行う（ステップＳ１２）。
【００６４】
次に、ステップＳ１２において、制御部１０は、ＯＫキーがタッチされたか否かを判定する（ステップＳ１２）。
ＯＫキーがタッチされた場合（ステップＳ１２の判定がＹｅｓの場合）、制御部１０は、ステップＳ１３において、複数の領域にそれぞれ配置された複数の原稿の反対面に対応する複数の画像データ（第２画像データ）を生成する（ステップＳ１３）。
その後、制御部１０は、図８のステップＳ１４の判定を行う（ステップＳ１４）。
【００６５】
一方、ＯＫキーがタッチされていない場合（ステップＳ１２の判定がＮｏの場合）、制御部１０は、ステップＳ１０の判定を繰り返す（ステップＳ１０）。
【００６６】
次に、ステップＳ１４において、制御部１０は、読み込み終了キーがタッチされたか否かを判定する（ステップＳ１４）。
読み込み終了キーがタッチされた場合（ステップＳ１４の判定がＹｅｓの場合）、制御部１０は、ステップＳ１５において、前記原稿載置台１９１から読み込んだ第１・第２画像データを前記領域ごとに関連付ける（ステップＳ１５）。
その後、制御部１０は、ステップＳ１７の処理待ちをする（ステップＳ１７）。
【００６７】
一方、ステップＳ１４の判定において、読み込み終了キーがタッチされていない場合（ステップＳ１４の判定がＮｏの場合）、制御部１０は、ステップＳ１６において、追加の読み込み原稿があるか否かを表示操作部１７１に表示させて確認する（ステップＳ１６）。
追加の読み込み原稿がある場合（ステップＳ１６の判定がＹｅｓの場合）、制御部１０は、図７のステップＳ４の処理を繰り返す（ステップＳ４）。
一方、追加の読み込み原稿がない場合（ステップＳ１６の判定がＮｏの場合）、制御部１０は、ステップＳ１４の判定を繰り返す（ステップＳ１４）。
【００６８】
次に、ステップＳ１７において、スタートキーがタッチされると、制御部１０は、ステップＳ１８において、画像処理部１４にユーザーによって設定されたレイアウトに従い、読み込まれた画像データを処理させ、画像形成部１２に画像形成を実行させる（ステップＳ１８）。
【００６９】
＜カード読み取りの操作手順の一例＞
次に、図９〜図２３に基づき、この発明の実施形態１に係るデジタル複合機１のカード読み取りの操作手順の一例について説明する。
図９〜図１１および図１３は、図１のデジタル複合機１のカード読み取りの操作手順の一例を示す説明図である。図１２は、図１１のカードの読み込み用の設定画面ＳＳ１の拡大説明図である。図１４は、図１３の送信レイアウト選択用の設定画面ＳＳ２の拡大説明図である。図１５は、図４の原稿載置台１９１へのカードＣ１・Ｃ２の配置の一例を示す説明図である。図１６は、図１５で読み取られたカードＣ１・Ｃ２の表面のプレビュー画面の一例を示す説明図である。図１７は、図４の原稿載置台１９１へのカードＣ１・Ｃ２の配置の別の一例を示す説明図である。図１８は、図４の原稿載置台１９１への不適切なカードＣ１・Ｃ２の配置の一例を示す説明図である。図１９は、図４の原稿載置台１９１へのカードＣ１・Ｃ２の配置の一例を示す説明図である。図２０は、図１９で読み取られたカードＣ１・Ｃ２の裏面のプレビュー画面の一例を示す説明図である。図２１は、追加の読み込みを行うか否かの確認メッセージの一例を示す説明図である。図２２は、選択された送信レイアウトに従って表示されたカードＣ１・Ｃ２の裏表面のプレビュー画面の一例を示す説明図である。図２３は、図４の原稿載置台１９１へのカードＣ１・Ｃ２の配置の一例を示す説明図である。図２３（Ａ）は、カードＣ１・Ｃ２の表面を読み取るための配置の一例を示し、図２３（Ｂ）は、カードＣ１・Ｃ２の裏面を読み取るための配置の一例を示す。
【００７０】
最初に、図９に示すように、表示操作部１７１において、ユーザーは、「他の機能」キーＫ１をタッチする。
次に、図１０に示すように、ユーザーは、マルチクロップカードスキャンモードを選択すべく、「マルチクロップカードスキャン」キーＫ２をタッチする。
【００７１】
このとき、図１１に示すように、カードの読み込み用の設定画面ＳＳ１が表示操作部１７１に表示される。
ここで、設定画面ＳＳ１において、カードの読み込み枚数が２枚のとき、原稿載置台１９１を示す領域を左右２つの領域に区分する縦向きの境界線が表示される。
また、カードの読み込み枚数が４枚のとき、原稿載置台１９１を示す領域を４つの領域に区分する縦横２本の境界線が表示される。
このようにして、ユーザーはこれらの境界線を参考に、複数の原稿の裏表の面を同じ領域に載置することが容易にできる。
【００７２】
図１２の設定画面ＳＳ１の例において、「１枚」、「２枚」および「４枚」のカードの読み込み用の設定の中から「２枚」が選択されている。
【００７３】
次に、図１３において、ユーザーが「送信レイアウト」タブＴ２を選択すると、図１４に示すように、送信レイアウト用の設定画面ＳＳ２が表示操作部１７１に表示される。
図１４の設定画面ＳＳ２の例において、表示された３つの送信用のレイアウトの中から左端の送信用のレイアウトが選択されている。
【００７４】
図１３および図１４において、カード内の数字はカードの種類を示し、白背景・黒数字のカードは表面を示し、黒背景・白抜き数字のカードは裏面を示すものとする（以下の図面においても同様）。
図１４の左端のレイアウトは、２枚のカードの裏表の画像を１枚の用紙に送信するレイアウトを示している。また、真ん中のレイアウトは、２枚のカードの裏表の画像をカードごとにそれぞれ別の用紙に送信するレイアウトを示している。右端のレイアウトは、２枚のカードの表の画像と裏の画像をそれぞれ別の用紙に送信するレイアウトを示している。
【００７５】
「読み込み」および「送信レイアウト」の設定が完了したら、ユーザーは、「ＯＫ」キーＫ３を押す。
【００７６】
次に、ユーザーは、原稿カバー１９を開き、図１５に示すように、複数のカード（図１５では２枚のカードＣ１・Ｃ２）を原稿載置台１９１上に配置する。
このとき、ユーザーは、原稿載置台１９１の周囲の原稿ガイド上に記載された三角矢印Ｇ１の両側の領域ＡＲ１およびＡＲ２内のそれぞれにカードＣ１およびＣ２を、カードの表面が読み取られるように配置する。
【００７７】
なお、図１５の三角矢印はあくまで一例にすぎず、ライン（指示線）であってもよいし、他の記号であってもよい。
これらの記号は、原稿ガイド上に印刷される。
また、図１５の原稿ガイドには、原稿サイズも印刷されている。
【００７８】
なお、図１５の例では、領域ＡＲ１・ＡＲ２を明確に示すため、三角矢印Ｇ１の延長線上に点線を記してあるが、実際の原稿載置台１９１上には点線は記されていない。
【００７９】
また、３枚〜４枚のカードを配置する場合は、三角矢印Ｇ１およびＧ２の２つの延長線で区切られた原稿載置台１９１の４つの領域ＡＲ１〜ＡＲ４内にカードを配置する。
それ以上の枚数のカードを配置する場合も同様である。
【００８０】
２枚のカードＣ１・Ｃ２をそれぞれ領域ＡＲ１・ＡＲ２に配置した後、ユーザーは、表示操作部１７１の「プレビュー」キーＫ４をタッチする。
このとき、図１６に示すように、読み取られたカードＣ１・Ｃ２の表面のプレビュー画面が表示操作部１７１に表示される。
ここで、プレビュー画面には、領域ＡＲ１・ＡＲ２の境界となる点線が表示される。
【００８１】
なお、図１５では、領域ＡＲ１・ＡＲ２の中心にそれぞれカードＣ１・Ｃ２が配置されている例を示したが、図１７に示すように、領域ＡＲ１・ＡＲ２内であれば、どの位置にカードを配置してもよい。
【００８２】
画像処理部１４は、読み取ったカードＣ１・Ｃ２の画像データから、カードＣ１・Ｃ２の四隅の頂点を特定し、当該四隅の頂点に囲まれた画像データのみを抽出する。それゆえ、領域内の自由な場所に配置した場合であっても、カードＣ１・Ｃ２の画像データのみが抽出される。
図１６に示すように、プレビュー画面には、抽出されたカードＣ１・Ｃ２のプレビュー画像がそれぞれの領域ＡＲ１・ＡＲ２の中心位置に配置される。
【００８３】
一方、図１８に示すように、三角矢印Ｇ１の延長線上にまたがるようにカードＣ１を配置した場合や、原稿載置台１９１の原稿の読み取り可能領域からカードＣ２が外れた場合は、カードＣ１・Ｃ２の画像を正しく読み取ることができない。
【００８４】
図１６において、カード表面のプレビュー画面を確認して問題がなければ、ユーザーは「ＯＫ」キーＫ３をタッチする。
【００８５】
次に、図１９に示すように、ユーザーは、カードの裏面が読み取られるように２枚のカードＣ１・Ｃ２を裏返して原稿載置台１９１上に配置した後、図２０に示す表示操作部１７１の「プレビュー」キーＫ４をタッチする。
このとき、図２０に示すように、読み取られたカードＣ１・Ｃ２の裏面のプレビュー画面が表示操作部１７１に表示される。
カード裏面のプレビュー画面を確認して問題がなければ、ユーザーは「ＯＫ」キーＫ３をタッチする。
【００８６】
次に、図２１に示すように、追加の読み込みを行うか否かの確認メッセージが表示操作部１７１に表示され、追加の読み込みを行わない場合は、ユーザーは「読み込み終了」キーＫ５をタッチする。
一方、追加の読み込みを行う場合、ユーザーは、次の原稿をセットして「スタート」キーＫ６をタッチする。
【００８７】
次に、図２２に示すように、送信レイアウトの設定で選択されたレイアウトに従って、読み込まれたカードＣ１・Ｃ２の表面・裏面のプレビュー画面が表示操作部１７１に表示される。
ユーザーは、プレビュー画面を確認して問題がなければ、印刷を開始すべく、「スタート」キーＫ６をタッチする。
【００８８】
図２３（Ａ）（Ｂ）に示すように、領域ＡＲ１・ＡＲ２内であれば、カードＣ１・Ｃ２は自由な位置に配置してもよい。また、カードＣ１・Ｃ２の裏表の配置の位置は、同じ位置に配置する必要はなく、図２３（Ａ）（Ｂ）に示すように、異なる位置に配置してもよい。
【００８９】
このようにして、ユーザーは、予め定められた領域ＡＲ１・ＡＲ２内であれば、自由にカードＣ１・Ｃ２を配置して読み取りを行うことができるため、従来よりも自由に複数のカードＣ１・Ｃ２を原稿載置台１９１に配置して一括して読み取らせることが可能となる。
【００９０】
〔実施形態２〕
次に、図２４〜図２７に基づき、この発明の実施形態２に係るデジタル複合機１について説明する。
図２４〜図２７は、この発明の実施形態２に係る送信用のレイアウトの例を示す説明図である。
【００９１】
図２４は、１枚のカードＣ１の表裏が読み取られた画像を１枚の用紙に送信するためのレイアウトの例を示す。図２４（Ａ）は、縦向きの用紙に送信するためのレイアウトの一例を示し、図２４（Ｂ）は、横向きの用紙に送信するためのレイアウトの一例を示す。
【００９２】
図２４（Ａ）の例において、１枚の縦長の用紙に１枚のカードＣ１の表裏の画像が上から縦一列に並べられている。
図２４（Ｂ）の例において、１枚の横長の用紙に１枚のカードＣ１の表裏の画像が左から横一行に並べられている。
【００９３】
ユーザーは、縦向きの用紙に送信するときは、図２４（Ａ）のレイアウトを選択し、横向きの用紙に送信するときは、図２４（Ｂ）のレイアウトを選択する。
【００９４】
図２５は、２枚のカードＣ１・Ｃ２の表裏が読み取られた画像を１枚の用紙に送信するためのレイアウトの例を示す。図２５（Ａ）（Ｃ）は、縦向きの用紙に送信するためのレイアウトの一例を示し、図２５（Ｂ）（Ｄ）は、横向きの用紙に送信するためのレイアウトの一例を示す。
【００９５】
図２５（Ａ）（Ｂ）の例において、１枚の縦長の用紙に２枚のカードＣ１・Ｃ２の表裏の画像が横２行縦２列に並べられている。
【００９６】
以下、縦の列を示すときは、左側を基準として１列目、２列目などと記載し、横の行を示すときは、上側を基準として１行目、２行目などと記載することにする。
また、以下の説明において、複数の画像を縦１列に並べる場合は、上側から順に並べるものとし、横１行に並べる場合は、左側から順に並べるものとする。
【００９７】
図２５（Ａ）の例において、１行目に１枚目のカードＣ１の表裏の画像が横一行に並べられ、２行目に２枚目のカードＣ２の表裏の画像が横一行に並べられている。
また、図２５（Ｂ）の例において、１列目に１枚目のカードＣ１の表裏の画像が縦一列に並べられ、２列目に２枚目のカードＣ２の表裏の画像が縦一列に並べられている。
【００９８】
図２５（Ｃ）（Ｄ）の例において、１枚の横長の用紙に２枚のカードＣ１・Ｃ２の表裏の画像が横２行縦２列に並べられている。
具体的には、図２５（Ｃ）の例において、１行目に１枚目のカードＣ１の表裏の画像が横一行に並べられ、２行目に２枚目のカードＣ２の表裏の画像が横一行に並べられている。
また、図２５（Ｄ）の例において、１列目に１枚目のカードＣ１の表裏の画像が縦一列に並べられ、２列目に２枚目のカードＣ２の表裏の画像が縦一列に並べられている。
【００９９】
ユーザーは、縦向きの用紙に送信するときは、図２５（Ａ）（Ｂ）のレイアウトのいずれかを選択し、横向きの用紙に送信するときは、図２５（Ｃ）（Ｄ）のレイアウトのいずれかを選択する。
【０１００】
図２６は、２枚のカードＣ１・Ｃ２の表裏が読み取られた画像を２枚の用紙に送信するためのレイアウトの例を示す。図２６（Ａ）（Ｂ）は、縦向きの用紙に送信するためのレイアウトの一例を示し、図２６（Ｃ）（Ｄ）は、横向きの用紙に送信するためのレイアウトの一例を示す。
【０１０１】
図２６（Ａ）（Ｂ）の例において、２枚の縦長の用紙に２枚のカードＣ１・Ｃ２の表裏の画像が縦１列に並べられている。
具体的には、図２６（Ａ）の例において、１枚目の用紙に２枚のカードＣ１およびＣ２の表の画像が縦１列に並べられ、２枚目の用紙に２枚のカードＣ１およびＣ２の裏の画像が縦１列に並べられている。
また、図２６（Ｂ）の例において、１枚目の用紙に１枚目のカードＣ１の表裏の画像が縦１列に並べられ、２枚目の用紙に２枚目のカードＣ２の表裏の画像が縦１列に並べられている。
【０１０２】
図２６（Ｃ）（Ｄ）の例において、２枚の横長の用紙に２枚のカードＣ１・Ｃ２の表裏の画像が横１行に並べられている。
具体的には、図２６（Ｃ）の例において、１枚目の用紙に２枚のカードＣ１およびＣ２の表の画像が横１行に並べられ、２枚目の用紙に２枚のカードＣ１およびＣ２の裏の画像が横１行に並べられている。
また、図２６（Ｄ）の例において、１枚目の用紙に１枚目のカードＣ１の表裏の画像が横１行に並べられ、２枚目の用紙に２枚目のカードＣ２の表裏の画像が横１行に並べられている。
【０１０３】
ユーザーは、縦向きの用紙に送信するときは、図２６（Ａ）（Ｂ）のレイアウトのいずれかを選択し、横向きの用紙に送信するときは、図２６（Ｃ）（Ｄ）のレイアウトのいずれかを選択する。
これらの画像は、１枚の用紙の裏表に印刷してもよく、また、２枚の用紙に別々に印刷してもよい。
【０１０４】
図２７は、４枚のカードＣ１〜Ｃ４の表裏が読み取られた画像を１枚の用紙に送信するためのレイアウトの例を示す。図２７（Ａ）（Ｂ）は、縦向きの用紙に送信するためのレイアウトの一例を示す。
【０１０５】
図２７（Ａ）（Ｂ）の例において、１枚の縦長の用紙に４枚のカードＣ１〜Ｃ４の表裏の画像が横４行縦２列に並べられている。
具体的には、図２７（Ａ）の例において、１列目に４枚のカードＣ１〜Ｃ４の表の画像が縦１列に並べられ、２列目に４枚のカードＣ１〜Ｃ４の裏の画像が縦１列に並べられている。
また、図２７（Ｂ）の例において、１列目１〜２行目に１枚目のカードＣ１の表裏の画像が縦１列に並べられ、２列目１〜２行目に２枚目のカードＣ２の表裏の画像が縦１列に並べられ、１列目３〜４行目に３枚目のカードＣ３の表裏の画像が縦１列に並べられ、２列目３〜４行目に４枚目のカードＣ４の表裏の画像が縦１列に並べられている。
【０１０６】
ユーザーは、図２７（Ａ）（Ｂ）のレイアウトのいずれかを選択する。
【０１０７】
なお、送信用のレイアウトは、上にあげた場合に限られず、この発明は、例示された以外のレイアウトを除外するものではない。
【０１０８】
このようにして、ユーザーは、原稿載置台１９１にカードを配置する際にレイアウトを決めて設定しなくても、読み取られたカードの画像に基づき作成されたレイアウトの中から所望のレイアウトを自由に選択できるため、従来よりも手軽に複数のカードの裏表面の印刷が可能となる。
【０１０９】
〔実施形態３〕
次に、図２８〜図３１に基づき、この発明の実施形態３に係るデジタル複合機１について説明する。
図２８〜図３１は、この発明の不適切なカードの配置の一例を示す説明図である。（Ａ）は、カードの表面を読み取るための配置の一例を示し、（Ｂ）は、カードの裏面を読み取るための配置の一例を示す。
【０１１０】
図１８に示すように、制御部１０は、複数のカードが予め定められた領域内に正しく配置されていない場合、複数のカードを当該領域内に正しく配置すべき旨のエラー表示を表示操作部１７１に表示させるようにしてもよい。
【０１１１】
また、領域ＡＲ１・ＡＲ２に配置されたカードＣ１・Ｃ２の表裏面の配置が一致しない場合、制御部１０は、複数のカードを当該領域内に正しく配置すべき旨のエラー表示を表示操作部１７１に表示させるようにしてもよい。
【０１１２】
領域ＡＲ１・ＡＲ２に配置されたカードＣ１・Ｃ２の表裏面の配置が一致しない場合としては、図２８および図２９に示すように、領域ＡＲ１・ＡＲ２に配置されたカードＣ１・Ｃ２の枚数が裏表面で異なる場合があげられる。
【０１１３】
また、図３０に示すように、領域ＡＲ１〜ＡＲ４に配置されたカードＣ１〜Ｃ３の枚数が同じであっても、カードＣ１〜Ｃ３が配置された領域の位置が裏表面で異なる場合も、制御部１０は、エラー表示を表示操作部１７１に表示させる。
【０１１４】
また、図３１に示すように、領域ＡＲ１・ＡＲ２にそれぞれカードが正しく配置されている場合であっても、同じ領域ＡＲ２に配置されたカードＣ２・Ｃ３のサイズや形状が異なる場合も、制御部１０は、エラー表示を表示操作部１７１に表示させる。
【０１１５】
このようにすれば、原稿載置台１９１に載置された複数の原稿が複数の領域内に正しく配置されていない場合にエラーが報知されるため、従来よりも原稿載置台１９１の自由な位置に間違えることなく複数の原稿を配置して、一括して読み取りが可能な画像読取装置を実現できる。
【０１１６】
〔実施形態４〕
次に、図３２に基づき、この発明の実施形態４に係るデジタル複合機１について説明する。
図３２は、この発明の実施形態４に係るデジタル複合機１の原稿載置台１９１へのカードの配置の別の一例を示す説明図である。図３２（Ａ）は、カードの表面を読み取るための配置の一例を示し、図３２（Ｂ）は、カードの裏面を読み取るための配置の一例を示す。
【０１１７】
図３２に示すように、領域ＡＲ１・ＡＲ２内においてカードＣ１・Ｃ２が斜めに傾いて配置された場合や逆さに配置された場合であっても、カードの縁の角度やカード内に印刷された文字の向きなどに基づき、カードＣ１・Ｃ２の傾きを検知してカードＣ１・Ｃ２の画像データの傾きが正しい向きとなるように自動修正するようにしてもよい。
【０１１８】
このようにすれば、ユーザーは、複数の領域内に自由にカードを配置できるため、従来よりも手軽に複数のカードの裏表面の印刷が可能となる。
【０１１９】
この発明の好ましい態様には、上述した複数の態様のうちの何れかを組み合わせたものも含まれる。
前述した実施の形態の他にも、この発明について種々の変形例があり得る。それらの変形例は、この発明の範囲に属さないと解されるべきものではない。この発明には、請求の範囲と均等の意味および前記範囲内でのすべての変形とが含まれるべきである。
【符号の説明】
【０１２０】
１：デジタル複合機、    １０：制御部、    １１：画像読取部、    １２：画像形成部、    １３：記憶部、    １４：画像処理部、    １５：通信部、    １６：給紙部、    １７：パネルユニット、    １８：計時部、    １９：原稿カバー、    １７１：表示操作部、    １７２：物理操作部、    １９１：原稿載置台、    ＡＲ１，ＡＲ２：領域、    Ｃ１，Ｃ２：カード、    Ｇ１，Ｇ２：三角矢印、    Ｋ１，Ｋ２，Ｋ３，Ｋ４，Ｋ５，Ｋ６：キー、    ＳＳ１，ＳＳ２：設定画面、    Ｔ１，Ｔ２：タブ
【図１】
2019004298.tif 000003
【図２】
2019004298.tif 000004
【図３】
2019004298.tif 000005
【図４】
2019004298.tif 000006
【図５】
2019004298.tif 000007
【図６】
2019004298.tif 000008
【図７】
2019004298.tif 000009
【図８】
2019004298.tif 000010
【図９】
2019004298.tif 000011
【図１０】
2019004298.tif 000012
【図１１】
2019004298.tif 000013
【図１２】
2019004298.tif 000014
【図１３】
2019004298.tif 000015
【図１４】
2019004298.tif 000016
【図１５】
2019004298.tif 000017
【図１６】
2019004298.tif 000018
【図１７】
2019004298.tif 000019
【図１８】
2019004298.tif 000020
【図１９】
2019004298.tif 000021
【図２０】
2019004298.tif 000022
【図２１】
2019004298.tif 000023
【図２２】
2019004298.tif 000024
【図２３】
2019004298.tif 000025
【図２４】
2019004298.tif 000026
【図２５】
2019004298.tif 000027
【図２６】
2019004298.tif 000028
【図２７】
2019004298.tif 000029
【図２８】
2019004298.tif 000030
【図２９】
2019004298.tif 000031
【図３０】
2019004298.tif 000032
【図３１】
2019004298.tif 000033
【図３２】
2019004298.tif 000034